(57)【要約】【課題】容器の鏡板部の一部を容易に更新できる鏡板部の部分更新方法を提供する。【解決手段】ナックル部３より内側でかつ円盤部４より外側にある更新すべき部分５を周方向に部分的に切除する切除工程と、切除することで生じた開口１１ａに扇形状の新規鏡板部材１０を取り付ける新規鏡板部材取付け工程とを繰り返すことにより、鏡板部１の一部を更新するので、短い工事期間でかつ安い工事費用で鏡板部を部分更新することができる。【選択図】図３
2018062974.tif 000002
【特許請求の範囲】
【請求項１】
容器の鏡板部の少なくとも一部を更新する方法であって、
前記鏡板部の外周側をナックル部、中央側を円盤部とすると、
前記ナックル部より内側でかつ前記円盤部より外側にある更新すべき部分を周方向に部分的に切除する切除工程と、切除することで生じた開口に扇形状の新規鏡板部材を取り付ける新規鏡板部材取付け工程とを繰り返すことにより、前記鏡板部の少なくとも一部を更新することを特徴とする鏡板部の部分更新方法。
【請求項２】
前記切除工程では、前記更新すべき部分を前記鏡板部の対角となるように部分的に切除し、
前記新規鏡板部材取付け工程では、切除することで生じた２つの開口にそれぞれ前記新規鏡板部材を取り付けることを特徴とする請求項１に記載の鏡板部の部分更新方法。
【請求項３】
更新すべき全ての新規鏡板部材を取り付けた後、前記円盤部を切除し、切除することで生じた開口に新規円盤部材を取り付けることを特徴とする請求項１または２に記載の鏡板部の部分更新方法。
【請求項４】
請求項１〜３のいずれか１項に記載の鏡板部の部分更新方法で使用される特殊治具であって、
周方向に隣り合う２つの前記新規鏡板部材の間に介在される仕切り部と、
この仕切部の下端部に設けられて２つの前記新規鏡板部材の下面を支持する支持部と、
前記仕切り部に形成された貫通孔に挿通されて、２つの前記新規鏡板部材の上面に当接する挿通部材とを備えることを特徴とする特殊治具。
【請求項５】
請求項４に記載の特殊治具を用意するとともに、２つの前記新規鏡板部材の溶接端部にそれぞれ開先面を形成しておき、
前記開先面間に前記特殊治具の仕切り部を介在させるとともに前記特殊治具の支持部によって、２つの前記新規鏡板部材の下面を支持し、さらに、前記特殊治具の挿通部材を前記仕切り部に形成された貫通孔に挿通して２つの前記新規鏡板部材の上面に当接することを特徴とする請求項１〜３のいずれか１項に記載の鏡板部の部分更新方法。
【発明の詳細な説明】
【技術分野】
【０００１】
本発明は、圧力容器等の容器の鏡板部を部分的に更新する鏡板部の部分更新方法およびこの部分更新方法で使用される特殊治具に関する。
【背景技術】
【０００２】
石油精製装置の常圧蒸留装置や減圧蒸留装置の主蒸留塔などの塔槽類等の圧力容器では、長年の使用により鏡板部の一部分が腐食したり、変形した場合、その箇所を部分的に新規部品に更新（交換）したり、修復する必要がある。
圧力容器の鏡板部（例えば流動接触分解装置用再生塔のプレナムチャンバ）の修復方法の一例として、特許文献１に記載のものが知られている。
この修復方法は、プレナムチャンバの内壁面から耐摩耗性被覆層を除去し、その後前記プレナムチャンバの変形部を矯正し、その後前記プレナムチャンバの前記内壁面上に複数の補強用リブを溶接し、その後前記複数の補強用リブを含めて前記プレナムチャンバの前記内壁面を新たな耐摩耗性被覆層で被覆する方法である。
【先行技術文献】
【特許文献】
【０００３】
【特許文献１】特許５７６４５１６号公報
【発明の概要】
【発明が解決しようとする課題】
【０００４】
ところで、経年劣化や腐食によって鏡板部の板厚減少や変形が大きくなった場合、上述した圧力容器の鏡板部の修復方法では対応できなくなるため、容器の胴部と鏡板部とを含めた全体更新が必要であった。このように、従来では鏡板部の部分的な更新方法がなく、更新工事に多大のコストが必要であった。
【０００５】
本発明は、前記事情に鑑みてなされたもので、容器の鏡板部の少なくとも一部を容易に更新できる鏡板部の部分更新方法およびこの方法において使用される特殊治具を提供することを目的としている。
【課題を解決するための手段】
【０００６】
前記目的を達成するために本発明に係る鏡板部の部分更新方法は、容器の鏡板部の少なくとも一部を更新する方法であって、
前記鏡板部の外周側をナックル部、中央側を円盤部とすると、
前記ナックル部より内側でかつ前記円盤部より外側にある更新すべき部分を周方向に部分的に切除する切除工程と、切除することで生じた開口に扇形状の新規鏡板部材を取り付ける新規鏡板部材取付け工程とを繰り返すことにより、前記鏡板部の少なくとも一部を更新することを特徴とする。
【０００７】
本発明においては、ナックル部より内側でかつ円盤部より外側にある更新すべき少なくとも部分を周方向に部分的に切除する切除工程と、切除することで生じた開口に扇形状の新規鏡板部材を取り付ける新規鏡板部材取付け工程とを繰り返すことにより、鏡板部の少なくとも一部を更新するので、短い工事期間でかつ安い工事費用で鏡板部を部分更新することができる。すなわち、更新すべき部分を周方向に部分的に新たな新規鏡板部材に次々に取り替えてゆくことにより、新たな鏡板部にするので、容器全体を撤去せずに更新作業を行うことができるため、工事期間を短くできるとともに、工事費用を安くすることができる。
また、鏡板部のナックル部、円盤部、切除されていない更新すべき部分および更新された新規鏡板部材を作業床として切除作業や溶接作業を行えるので、別途足場を組み立てる必要がなく、容易に更新作業を行うことができる。
【０００８】
本発明の前記構成において、前記切除工程では、前記更新すべき部分を前記鏡板部の対角となるように部分的に切除し、
前記新規鏡板部材取付け工程では、切除することで生じた２つの開口にそれぞれ前記新規鏡板部材を取り付けてもよい。
【０００９】
このような構成によれば、切除工程では、更新すべき部分を鏡板部の対角となるように部分的に切除し、新規鏡板部材取付け工程では、切除することで生じた２つの開口にそれぞれ新規鏡板部材を取り付けるので、両開口が生じた状態において、鏡板部の周方向における断面係数のバランスが良く、強度上安定したものとすることができる。
【００１０】
また、本発明の前記構成において、更新すべき全ての新規鏡板部材を取り付けた後、前記円盤部を切除し、切除することで生じた開口に新規円盤部材を取り付けてもよい。
【００１１】
このような構成によれば、円盤部の変形が大きくなって更新の必要がある場合に、円盤部を切除することで生じた開口に新規円盤部材を取り付けることにより、円盤部の更新を容易に行うことができる。
【００１２】
本発明に係る特殊治具は、前記鏡板部の部分更新方法で使用される特殊治具であって、
周方向に隣り合う２つの前記新規鏡板部材の間に介在される仕切り部と、
この仕切部の下端部に設けられて２つの前記新規鏡板部材の下面を支持する支持部と、
前記仕切り部に形成された貫通孔に挿通されて、２つの前記新規鏡板部材の上面に当接する挿通部材とを備えることを特徴とする。
【００１３】
本発明においては、上述した鏡板部の部分更新方法を行うに際し、周方向に隣り合う２つの新規鏡板部材の間に仕切り部を介在させるとともに、支持部によって、２つの新規鏡板部材の下面を支持し、さらに、挿通部材を仕切り部に形成された貫通孔に挿通して２つの新規鏡板部材の上面に当接することによって、２つの新規鏡板部材を挿通部材と支持部とによって挟み付けるように、かつ仕切り部によって所定の隙間をもって保持できる。
したがって、２つの新規鏡板部材の溶接端部にそれぞれ開先面を形成しておくことにより、開先幅を均一に保持することができるので、２つの新規鏡板部材どうしの溶接作業を安定的に行える。
【００１４】
また、本発明に係る鏡板部の部分更新方法は、前記特殊治具を用意するとともに、２つの前記新規鏡板部材の溶接端部にそれぞれ開先面を形成しておき、
前記開先面間に前記特殊治具の仕切り部を介在させるとともに前記特殊治具の支持部によって、２つの前記新規鏡板部材の下面を支持し、さらに、前記特殊治具の挿通部材を前記仕切り部に形成された貫通孔に挿通して２つの前記新規鏡板部材の上面に当接することを特徴とする。
【００１５】
本発明においては、２つの新規鏡板部材を挿通部材と支持部とによって挟み付けるように、かつ仕切り部によって開先面間を所定の隙間をもって保持できる。
したがって、開先幅を均一に保持することができるので、２つの新規鏡板部材どうしの溶接作業を安定的に行える。
【発明の効果】
【００１６】
本発明によれば、容器の鏡板部の一部を容易に更新できるとともに、ナックル部、円盤部および切除されていない更新すべき部分を作業床として切除作業や溶接作業を行えるので、容易に更新作業を行うことができる。
【図面の簡単な説明】
【００１７】
【図１】本発明の実施の形態を示すもので、プレナムヘッドの要部を示す断面図であある。
【図２】同、プレナムチャンバー（鏡板部）の概略平面図である。
【図３】同、鏡板部の部分更新方法の工程を示すもので、（ａ）は最初の新規鏡板部材を溶接した状態を示す鏡板部の概略平面図、（ｂ）は２番目の新規鏡板部材を開口に嵌め込んだ状態を示す鏡板部の概略平面図、（ｃ）は２番目の新規鏡板部材を溶接した状態を示す鏡板部の概略平面図、（ｄ）は３番目の新規鏡板部材を開口に嵌め込んだ状態を示す鏡板部の概略平面図、（ｅ）は３番目の新規鏡板部材を溶接した状態を示す鏡板部の概略平面図、（ｆ）は円盤部を溶接した状態を示す鏡板部の概略平面図である。
【図４】同、特殊治具を新規鏡板部材とともに示す側断面図である。
【図５】同、特殊治具を新規鏡板部材とともに示す正面図である。
【図６】同、隣り合う新規鏡板部材どうしを溶接した状態を示す要部の側断面図である。
【発明を実施するための形態】
【００１８】
以下、本発明の実施の形態について図面を参照して説明する。
本実施の形態は、本発明を、流動接触分解装置のリジェネレータプレナムヘッド部の内部のプレナムチャンバー（鏡板部）を部分的に更新する場合に適用したものである。
図１は、プレナムヘッドの要部を示す断面図、図２はプレナムチャンバー（鏡板部）１の概略平面図である。
図１に示すように、プレナムヘッドの内部には、プレナムチャンバー（鏡板部）１が設けられている。鏡板部１は、下向きに凸の略球欠状でかつ平面視円状に形成されており、図２に示すように、平面視円状の鏡板部本体２と、この鏡板部本体２の外側にある平面視円環状のナックル部３とから構成されている。また、鏡板部１の断面視において、ナックル部３の曲率半径は鏡板部本体２の曲率半径より小さくなっている。
鏡板部本体２は、中央側の円盤部４と、この円盤部４の外側にある円環部５とから構成されている。また、ナックル部３の外周縁部は胴部６の内周面に溶接されている。
【００１９】
本実施の形態では、ナックル部３より内側でかつ円盤部４より外側にある円環部５を更新すべき部分５として、鏡板部１の部分更新方法について説明する。
この鏡板部１の部分更新方法では、更新すべき部分（円環部）５を周方向に部分的に切除する切除工程と、切除することで生じた開口に扇形状の新規鏡板部材１０を取り付ける新規鏡板部材取付け工程とを繰り返すことにより、鏡板部１の一部（円環部５）を更新する。
【００２０】
すなわち、まず、図３（ａ）に示すように、円環部５を平面視において、周方向に６等分するような切断線Ｌ１〜Ｌ６を決定する。この切断線Ｌ１〜Ｌ６は、例えば作業者が鏡板部１の円環部５上に乗って、当該円環部５の表面に線を引くことで形成される。
次に、切断線Ｌ１と切断線Ｌ２との間にある部分と、切断線Ｌ４と切断線Ｌ５との間にある部分を切除する。つまり、更新すべき部分（円環部）５を鏡板部１の対角となるように部分的に切除する（切除工程）。
切除するには、切断線Ｌ１，Ｌ２、切断線Ｌ１，Ｌ２の外周側端部間にある円環部５の内周縁および切断線Ｌ１，Ｌ２の内周側端部間にある円環部５の外周縁を溶断等によって切断し、切断されて残った扇形状の部分を取り除くとともに、切断線Ｌ４，Ｌ５、切断線Ｌ４，Ｌ５の外周側端部間にある円環部５の内周縁および切断線Ｌ４，Ｌ５の内周側端部間にある円環部５の外周縁を溶断等によって切断し、切断されて残った扇形状の部分を取り除けばよい。
【００２１】
次に、切除することで生じた２つの扇形状の開口１１ａ，１１ａにそれぞれ扇形状の新規鏡板部材１０（１０Ａ１，１０Ａ２）を以下のようにして取り付ける（新規鏡板部材取付け工程）。取り付けられた新規鏡板部材１０（１０Ａ１，１０Ａ２）にはハッチングが施してある。同様に以下の説明においても、取り付けられた新規鏡板部材１０にはハッチングが施してある。
開口１１ａ，１１ａに新規鏡板部材１０（１０Ａ１，１０Ａ２）を取り付けるには、当該新規鏡板部材１０（１０Ａ１，１０Ａ２）を、プレナムヘッドの頂部に設けられている支持部７（図１参照）から図示しないワイヤで吊り下げて開口１１ａ，１１ａに嵌め込んだうえで、新規鏡板部材１０（１０Ａ１，１０Ａ２）の内周縁部を円盤部４の外周縁部に溶接するとともに、新規鏡板部材１０（１０Ａ１，１０Ａ２）の外周縁部をナックル部３の内周縁部に溶接する。この溶接よる溶接線は太線で示している。同様、以下の説明においても溶接による溶接線は太線で示している。
【００２２】
上述したような切除工程および新規鏡板部材取付け工程は、ナックル部３、円盤部４および切除されていない更新すべき部分（切断線Ｌ２と切断線Ｌ４との間にある部分および切断線Ｌ５と切断線Ｌ１との間にある部分）を作業床として行える。
【００２３】
次に、切断線Ｌ２と切断線Ｌ３との間にある部分と、切断線Ｌ５と切断線Ｌ６との間にある部分を切除する。つまり、更新すべき部分（円環部）５を鏡板部１の対角となるように部分的に切除する（切除工程）。切除するには、切断線Ｌ２，Ｌ５は既に切断されているので、切断線Ｌ３、切断線Ｌ２，Ｌ３の外周側端部間にある円環部５の内周縁および切断線Ｌ２，Ｌ３の内周側端部間にある円環部５の外周縁を溶断等によって切断し、切断されて残った扇形状の部分を取り除くとともに、切断線Ｌ６、切断線Ｌ５，Ｌ６の外周側端部間にある円環部５の内周縁および切断線Ｌ５，Ｌ６の内周側端部間にある円環部５の外周縁を溶断等によって切断し、切断されて残った扇形状の部分を取り除けばよい。
【００２４】
次に、図３（ｂ）に示すように、切除することで生じた２つの扇形状の開口１１ａ，１１ａにそれぞれ扇形状の新規鏡板部材１０（１０Ｂ１，１０Ｂ２）を取り付ける（新規鏡板部材取付け工程）。
開口１１ａ，１１ａに新規鏡板部材１０（１０Ｂ１，１０Ｂ２）を取り付けるには、当該新規鏡板部材１０（１０Ｂ１，１０Ｂ２）を、支持部７（図１参照）から図示しないワイヤで吊り下げて開口１１ａ，１１ａに嵌め込んだうえで、図３（ｃ）に示すように、新規鏡板部材１０（１０Ｂ１，１０Ｂ２）の内周縁部を円盤部４の外周縁部に溶接するとともに、新規鏡板部材１０（１０Ｂ１，１０Ｂ２）の外周縁部をナックル部３の内周縁部に溶接する。
【００２５】
さらに、この新規鏡板部材１０（１０Ｂ１，１０Ｂ２）と先に取り付けた新規鏡板部材１０（１０Ａ１，１０Ａ２）とを溶接するが、その前に、図４に示すように、周方向に隣り合う新規鏡板部材１０，１０の溶接端部にそれぞれ開先面１０ａを形成しておくとともに、特殊治具２０を用意しておく。
開先面１０ａ，１０ａは新規鏡板部材１０，１０を突き合わせた状態において断面Ｖ字状に形成されており、開先面１０ａ，１０ａのなす角度は６０°となっている。なお、開先面１０ａは予め工場等において新規鏡板部材１０に形成しておいてもよいし、現場で新規鏡板部材１０に形成してもよい。
【００２６】
特殊治具２０は、図４および図５に示すように、仕切り部２１と支持部２２と挿通部材２３とを備えている。
仕切り部２１は、周方向に隣り合う２つの新規鏡板部材１０，１０の間に介在されるもので、厚さ３ｍｍ程度の矩形板状に形成されている。
支持部２２は、仕切り部２１の下端部に当該仕切り部２１と直角にかつ一体的に設けられたもので、仕切り部２１とほぼ同厚の矩形板状に形成され、２つの新規鏡板部材１０，１０の下面を支持するようになっている。
挿通部材２３は截頭円錐状に形成されており、仕切り部２１に形成された貫通孔２１ａに挿通されるものであり、挿通された状態において、２つの新規鏡板部材１０，１０の上面に当接するようになっている。
【００２７】
そして、２つの新規鏡板部材１０，１０どうしを溶接する際は、それらの開先面１０ａ，１０ａ間に特殊治具２０の仕切り部２１を下方から挿通して、介在させるとともに当該特殊治具２０の支持部２２によって、２つの新規鏡板部材１０，１０の下面を支持する。この状態において、開先面１０ａ，１０ａのそれぞれの下縁部が仕切り部２１に当接しているので、開先幅（開先面１０ａ，１０ａ間の距離）は均一に保持される。
さらに、挿通部材２３を仕切り部２１に形成されている貫通孔２１ａに挿通して、２つの新規鏡板部材１０，１０の上面に当接する。これによって、新規鏡板部材１０，１０の突き当て部は挿通部材２３と支持部２２とによって上下から挟み付けられるようにして保持される。
【００２８】
このような特殊治具２０は、図３（ｂ）に示すように、２つの新規鏡板部材１０，１０を突き合わせた突き合わせライン上に当該ラインに沿って、所定間隔で複数箇所（図３（ｂ）では２箇所）設置する。なお、特殊治具２０の設置数は鏡板部１の大きさ（直径）によって適宜設定すればよい。
このようにして特殊治具２０を設置することによって、２つの新規鏡板部材１０，１０がほぼ面一に配置されるとともに、溶接端部の開先幅が均一に保持される。
そして、図３（ｃ）および図６に示すように、開先面１０ａ，１０ａ間に溶接金属Ｍを流し込むことによって、２つの新規鏡板部材１０，１０どうしを溶接する。
【００２９】
なお、特殊治具２０が設置されている部分は溶接できないが、特殊治具２０が設置されている以外の開先面１０ａ，１０ａ間に溶接金属Ｍを流し込んだ後に特殊治具２０を取り除いて、特殊治具２０が設置されていた部分の開先面１０ａ，１０ａ間に溶接金属Ｍを流し込むことによって溶接できる。
特殊治具２０は、仕切り部２１の貫通孔２１ａから挿通部材２３を引き抜くことによって容易に取り除くことができる。
【００３０】
上述したような切除工程および新規鏡板部材取付け工程は、ナックル部３、円盤部４、切除されていない更新すべき部分（切断線Ｌ３と切断線Ｌ４との間にある部分および切断線Ｌ６とＬ１との間にある部分）および更新された部分（新規鏡板部材１０Ａ１，１０Ａ２）を作業床として行える。
【００３１】
また、２つの新規鏡板部材１０，１０どうしを溶接する前に、２つ目の新規鏡板部材１０（１０Ｂ１，１０Ｂ２）を円盤部４とナックル部３とに溶接したが、これに代えて、２つ目の新規鏡板部材１０（１０Ｂ１，１０Ｂ２）の内周縁部と円盤部４の外周縁部との突き合わせ部に周方向に沿って特殊治具２０を所定間隔で複数設置するとともに、同新規鏡板部材１０（１０Ｂ１，１０Ｂ２）の外周縁部とナックル部３の内周縁部との突き合わせ部に周方向に沿って特殊治具２０を所定間隔で複数設置することで、同新規鏡板部材１０（１０Ｂ１，１０Ｂ２）を支持しておき、同新規鏡板部材１０（１０Ｂ１，１０Ｂ２）を円盤部４とナックル部３に溶接するとともに、２つの新規鏡板部材１０，１０どうしを溶接してもよい。
さらに、特殊治具２０を、新規鏡板部材１０（１０Ｂ１，１０Ｂ２）と、切断線Ｌ３，Ｌ６を境に隣り合う更新すべき既設部分（後述のように、当該既設部分は新規鏡板部材１０Ｃ１，１０Ｃ２によって更新される。）との突き合わせ部に特殊治具２０を設置、当該特殊治具２０によっても新規鏡板部材１０（１０Ｂ１，１０Ｂ２）を支持しておいてもよい。このように特殊治具２０によって新規鏡板部材１０（１０Ｂ１，１０Ｂ２）を支持しておき（仮支持しておき）、その後、溶接してもよい。
なお、このような溶接作業においても、新規鏡板部材１０と、ナックル部３および円盤部４との溶接端部には、開先面１０ａと同様に開先面を形成しておく。
【００３２】
次に、図３（ｃ）に示すように、切断線Ｌ３と切断線Ｌ４との間にある部分と、切断線Ｌ６と切断線Ｌ１との間にある部分を切除する。つまり、更新すべき部分（円環部）５を鏡板部１の対角となるように部分的に切除する（切除工程）。切除するには、切断線Ｌ３，Ｌ４および切断線Ｌ６，Ｌ１は既に切断されているので、切断線Ｌ３，Ｌ４の外周側端部間にある円環部５の内周縁および切断線Ｌ３，Ｌ４の内周側端部間にある円環部５の外周縁を溶断等によって切断し、切断されて残った扇形状の部分を取り除くとともに、切断線Ｌ６，Ｌ１の外周側端部間にある円環部５の内周縁および切断線Ｌ６，Ｌ１の内周側端部間にある円環部５の外周縁を溶断等によって切断し、切断されて残った扇形状の部分を取り除けばよい。
【００３３】
次に、図３（ｄ）に示すように、切除することで生じた２つの扇形状の開口１１ａ，１１ａにそれぞれ扇形状の新規鏡板部材１０（１０Ｃ１，１０Ｃ２）を取り付ける（新規鏡板部材取付け工程）。
開口１１ａ，１１ａに新規鏡板部材１０（１０Ｃ１，１０Ｃ２）を取り付けるには、当該新規鏡板部材１０（１０Ｃ１，１０Ｃ２）を、支持部７（図１参照）から図示しないワイヤで吊り下げて開口１１ａに嵌め込んだうえで、図３（ｅ）に示すように、新規鏡板部材１０（１０Ｃ１，１０Ｃ２）の内周縁部を円盤部４の外周縁部に溶接するとともに、新規鏡板部材１０（１０Ｃ１，１０Ｃ２）の外周縁部をナックル部３の内周縁部に溶接する。
【００３４】
さらに、この新規鏡板部材１０（１０Ｃ１）と先に取り付けた新規鏡板部材１０（１０Ｂ１，１０Ａ２）とを溶接するとともに、新規鏡板部材１０（１０Ｃ２）と先に取り付けた新規鏡板部材１０（１０Ｂ２，１０Ａ１）とを溶接する。この溶接は上述した場合と同様に、特殊治具２０を用意しておき、当該特殊治具２０を、図３（ｄ）に示すように、新規鏡板部材１０，１０を突き合わせた突き合わせライン上に当該ラインに沿って、所定間隔で複数箇所（図３（ｄ）では２箇所）設置する。
【００３５】
このようにして特殊治具２０を設置することによって、３つの新規鏡板部材１０Ｂ１，１０Ｃ１，１０Ａ２がほぼ面一に配置されるとともに、溶接端部の開先幅が均一に保持される。同様に、３つの新規鏡板部材１０Ｂ２，１０Ｃ２，１０Ａ１がほぼ面一に配置されるとともに、溶接端部の開先幅が均一に保持される。
そして、図３（ｅ）および図６に示すように、開先面１０ａ，１０ａ間に溶接金属Ｍを流し込むことによって、新規鏡板部材１０，１０どうしを溶接する。
なお、特殊治具２０が設置されている部分は溶接できないが、特殊治具２０が設置されている以外の開先面１０ａ，１０ａ間に溶接金属Ｍを流し込んだ後に特殊治具２０を取り除いて、特殊治具２０が設置されていた部分の開先面１０ａ，１０ａ間に溶接金属Ｍを流し込むことによって溶接できる。
【００３６】
上述したような切除工程および新規鏡板部材取付け工程は、ナックル部３、円盤部４、および更新された部分（新規鏡板部材１０Ａ１，１０Ａ２，１０Ｂ１，１０Ｂ２）を作業床として行える。
【００３７】
また、新規鏡板部材１０，１０どうしを溶接する前に、３つ目の新規鏡板部材１０（１０Ｃ１，１０Ｃ２）を円盤部４とナックル部３とに溶接したが、これに代えて、３つ目の新規鏡板部材１０（１０Ｃ１，１０Ｃ２）の内周縁部と円盤部４の外周縁部との突き合わせ部に周方向に沿って特殊治具２０を所定間隔で複数設置するとともに、同新規鏡板部材１０（１０Ｃ１，１０Ｃ２）の外周縁部とナックル部３の内周縁部との突き合わせ部に周方向に沿って特殊治具２０を所定間隔で複数設置することで、同新規鏡板部材１０（１０Ｃ１，１０Ｃ２）を支持しておき、同新規鏡板部材１０（１０Ｃ１，１０Ｃ２）を円盤部４とナックル部３に溶接するとともに、新規鏡板部材１０，１０どうし（新規鏡板部材１０Ｃ１と新規鏡板部材１０Ｂ１，１０Ａ２どうし、および新規鏡板部材１０Ｃ２と新規鏡板部材１０Ｂ２，１０Ａ１どうし）を溶接してもよい。
【００３８】
更新すべき全ての新規鏡板部材１０を取り付けた後、円盤部４を更新する必要がある場合、図３（ｅ）および図３（ｆ）に示すように、円盤部４を切除し、切除することで生じた開口４ａに新規円盤部材１４を取り付ける。
開口４ａに新規円盤部材１４を取り付けるには、当該新規円盤部材１４を、支持部７（図１参照）から図示しないワイヤで吊り下げて開口４ａに嵌め込んだうえで、新規円盤部材１４の外周縁部を開口４ａの内周縁部に溶接する。
このように、円盤部４の変形が大きくなって更新の必要がある場合に、円盤部４を切除することで生じた開口４ａに新規円盤部材１４を取り付けることにより、円盤部４の更新を容易に行うことができる。
【００３９】
このような円盤部４の切除工程および新規円盤部材１４の取付け工程は、ナックル部３、円盤部４、および更新された部分（新規鏡板部材１０Ａ１，１０Ａ２，１０Ｂ１，１０Ｂ２，１０Ｃ１，１０Ｃ２）を作業床として行える。
【００４０】
以上のように、本実施の形態によれば、ナックル部３より内側でかつ円盤部４より外側にある更新すべき部分（円環部５）を周方向に部分的に切除する切除工程と、切除することで生じた開口１１ａに扇形状の新規鏡板部材１０を取り付ける新規鏡板部材取付け工程とを繰り返すことにより、鏡板部１の一部を更新するので、短い工事期間でかつ安い工事費用で鏡板部１を部分更新することができる。すなわち、更新すべき部分を周方向に部分的に新たな新規鏡板部材１０に次々に取り替えてゆくことにより、新たな鏡板部１にするので、容器全体を撤去せずに更新作業を行うことができるため、工事期間を短くできるとともに、工事費用を安くすることができる。
また、鏡板部１のナックル部３、円盤部４、切除されていない更新すべき部分および更新された新規鏡板部材１０を作業床として切除作業や溶接作業を行えるので、別途足場を組み立てる必要がなく、容易に更新作業を行うことができる。
【００４１】
また、切除工程では、更新すべき部分を鏡板部１の対角となるように部分的に切除し、新規鏡板部材取付け工程では、切除することで生じた２つの開口１１ａ，１１ａにそれぞれ新規鏡板部材１０を取り付けるので、両開口１１ａ，１１ａが生じた状態において、鏡板部１の周方向における断面係数のバランスが良く、強度上安定したものとすることができる。
【００４２】
また、特殊治具２０が仕切り部２１と支持部２２と挿通部材２３とを備えており、鏡板部１の部分更新方法を行うに際し、周方向に隣り合う２つの新規鏡板部材１０，１０の間に仕切り部２１を介在させるとともに、支持部２２によって、２つの新規鏡板部材１０，１０の下面を支持し、さらに、挿通部材２３を仕切り部２１に形成された貫通孔２１ａに挿通して２つの新規鏡板部材１０，１０の上面に当接することによって、２つの新規鏡板部材１０，１０を挿通部材２３と支持部２２とによって挟み付けるように、かつ仕切り部２１によって所定の隙間をもって保持できる。
したがって、２つの新規鏡板部材１０，１０の溶接端部にそれぞれ開先面１０ａ，１０ａを形成しておくことにより、開先幅を均一に保持することができるので、２つの新規鏡板部材１０，１０どうしの溶接作業を安定的に行える。
【００４３】
なお、本実施の形態において、切除工程では、更新すべき部分（円環部５）を鏡板部１の対角となるように部分的に切除し、切除することで生じた２つの開口１１ａ，１１ａにそれぞれ新規鏡板部材１０を取り付けるようにしたが、本発明はこれに限ることはない。
例えば、更新すべき部分（円環部５）を周方向に順次部分的に切除し、切除された開口に新規鏡板部材１０を取り付けていってもよいし、更新すべき部分（円環部５）を周方向に所定間隔を隔てて部分的に切除し、切除された開口に新規鏡板部材１０を取り付けていってもよい。要は、鏡板部１のナックル部３、円盤部４、切除されていない更新すべき部分および更新された新規鏡板部材１０を作業床として使用できるように、更新すべき部分（円環部５）を部分的に切除し、切除することで生じた開口に新規鏡板部材を取り付けるようにすればよい。
また、本実施の形態では、ナックル部３より内側でかつ円盤部４より外側にある円環部５の全体を更新したが、本発明はこれに限ることはない。例えば、円環部５の一部が腐食したり、変形していた場合、その一部を更新すればよく、さらに、本実施の形態で説明したとおり円盤部４も更新してもよいし、本実施の形態では説明していないが、ナックル部３も更新してもよい。
【００４４】
また、本実施の形態では、重油流動接触分解装置のリジェネレータプレナムヘッド部の内部のプレナムチャンバー（鏡板部）を部分的に更新する場合を例にとって説明したが、本発明は、プレナムヘッド部の上部の鏡板部や、その他の容器の上下部にある鏡板部を部分的に更新する場合にも適用することができる。
【符号の説明】
【００４５】
１  鏡板部
２  鏡板部本体
３  ナックル部
４  円盤部
４ａ  開口
５  円環部（更新すべき部分）
１０（１０Ａ１，１０Ａ２，１０Ｂ１，１０Ｂ２，１０Ｃ１，１０Ｃ２）  新規鏡板部材
１１ａ  開口
１４  新規円盤部材
２０  特殊治具
２１  仕切り部
２２  支持部
２３  挿通部材
【図１】
2018062974.tif 000003
【図２】
2018062974.tif 000004
【図３】
2018062974.tif 000005
【図４】
2018062974.tif 000006
【図５】
2018062974.tif 000007
【図６】
2018062974.tif 000008